(57)【要約】      （修正有）【課題】支持部材を交換する必要がなく、指針の設置位置を簡単に変更することができる輪列装置およびそれを備えた時計を提供する。【解決手段】中心部と外周の一部との間に２種類の第３表示領域が設けられた文字板と、第３表示領域の上方で運針する第３副針が取り付けられる副針車２５を備えた輪列部１７と、第３副表示領域に対応する箇所に輪列部１７を支持する第１支持部材１８、第２支持部材と、これら第１支持部材１８、第２支持部材の複数箇所のいずれかに副針車２５が選択的に取り付けられる第１、第２軸取付孔２９ｂと、を備えている。従って、第１、第２軸取付孔のいずれかに、副針車２５を選択的に取り付けることができるので、第１支持部材１８、第２支持部材を交換せずに、副針車２５の設置位置を変更できる。【選択図】図３
2019060738.tif 000002
【特許請求の範囲】
【請求項１】
中心部と外周の一部との間に表示領域が設けられた文字板と、
前記表示領域の上方で運針する指針が取り付けられる指針車を備えた輪列部と、
前記表示領域に対応する箇所に前記輪列部を支持する支持部材と、
前記支持部材の複数箇所に設けられ、前記複数箇所のいずれかに前記指針車が選択的に取り付けられる複数の軸取付孔と、
を備えていることを特徴とする輪列装置。
【請求項２】
請求項１に記載の輪列装置において、前記輪列部は、モータの回転を前記指針車に伝達する１つまたは複数の中間車を備えており、
前記複数の軸取付孔は、前記指針車に噛み合う前記中間車の回転中心を中心とする円周上に設けられていることを特徴とする輪列装置。
【請求項３】
請求項１または請求項２に記載の輪列装置において、前記文字板の中心部には主表示領域が設けられ、前記表示領域は副表示領域であり、前記指針は前記副表示領域内で運針する副針であることを特徴とする輪列装置。
【請求項４】
請求項３に記載の輪列装置において、前記副表示領域は、前記指針車が取り付けられる前記複数の軸取付孔に応じて表示形態が異なることを特徴とする輪列装置。
【請求項５】
請求項１〜請求項４のいずれかに記載された輪列装置を備えていることを特徴とする時計。
【発明の詳細な説明】
【技術分野】
【０００１】
この発明は、腕時計などの時計に用いられる輪列装置およびそれを備えた時計に関する。
【背景技術】
【０００２】
例えば、腕時計においては、特許文献１に記載されているように、モータの回転を複数の中間車によって指針車に伝達する輪列部を備え、この輪列部の指針車の指針軸に取り付けられた指針を運針させる構造のものが知られている。
【先行技術文献】
【特許文献】
【０００３】
【特許文献１】特開２００１−３２４５７９号公報
【０００４】
このような腕時計の輪列部は、複数の中間車および指針車が少なくとも上下２つの支持部材によって回転可能に支持されるように構成されている。すなわち、２つの支持部材それぞれには、複数の中間車の軸部の上下部および指針車の指針軸の上下部を回転可能に支持するための複数の軸取付孔が互いに対応して設けられている。
【発明の概要】
【発明が解決しようとする課題】
【０００５】
このような腕時計では、指針の設置位置を変更する際、指針車の設置位置を変更する必要があり、これに伴って支持部材の軸取付孔の位置を変更しなければならないため、支持部材を新たに製作して交換しなければならないという問題がある。
【０００６】
この発明が解決しようとする課題は、支持部材を交換する必要がなく、指針の設置位置を簡単に変更することができる輪列装置およびそれを備えた時計を提供することである。
【課題を解決するための手段】
【０００７】
この発明は、中心部と外周の一部との間に表示領域が設けられた文字板と、前記表示領域の上方で運針する指針が取り付けられる指針車を備えた輪列部と、前記表示領域に対応する箇所に前記輪列部を支持する支持部材と、前記支持部材の複数箇所に設けられ、前記複数箇所のいずれかに前記指針車が選択的に取り付けられる複数の軸取付孔と、を備えていることを特徴とする輪列装置である。
【発明の効果】
【０００８】
この発明によれば、支持部材を交換する必要がなく、指針の設置位置を簡単に変更することができる。
【図面の簡単な説明】
【０００９】
【図１】この発明を適用した腕時計の第１実施形態を示した拡大正面図である。
【図２】図１に示された腕時計に組み込まれる時計モジュールを示した拡大正面図である。
【図３】図２に示された第３副表示領域における輪列状態を示した要部の拡大裏面図である。
【図４】図３に示された時計モジュールのＡ−Ａ矢視における要部を示した拡大断面図である。
【図５】図３に示された第３副表示領域における支持部材を示した要部の拡大裏面図である。
【図６】図２に示された時計モジュールの異なる第３副表示領域において、第３副針の設置位置を変更した状態を示した拡大正面図である。
【図７】図６に示された第３副表示領域における輪列状態を示した要部の拡大裏面図である。
【図８】この発明を適用した腕時計の第２実施形態における時計モジュールを示した拡大正面図である。
【図９】図８に示された第３副表示領域における輪列状態の一例を示した要部の拡大裏面図である。
【発明を実施するための形態】
【００１０】
（第１実施形態）
以下、図１〜図７を参照して、この発明を腕時計に適用した第１実施形態について説明する。
この腕時計は、図１に示すように、腕時計ケース１を備えている。この腕時計ケース１の１２時側と６時側との各側部には、バンド取付部２がそれぞれ設けられている。
【００１１】
また、この腕時計ケース１の３時側の側部には、図１に示すように、竜頭などのスイッチ操作部３が設けられている。この腕時計ケース１の２時側、４時側、８時側、および１０時側の各側部には、押釦スイッチ４がそれぞれ設けられている。この腕時計ケース１の内部には、時計モジュール５が設けられている。
【００１２】
この時計モジュール５は、図１および図２に示すように、その上面に配置されたほぼ円板状の文字板６と、この文字板６の上面における外周部に配置されたリング状の見切り部材７と、を備えている。この場合、見切り部材７の上面には、複数の時字７ａが円周方向に沿って等間隔で設けられている。
【００１３】
また、この時計モジュール５は、図１、図２および図６に示すように、現在時刻を指示する主表示部８（主表示領域）と、ワールドタイムを指示する第１副表示部９と、曜日を指示する第２副表示部１０と、ストップウオッチ機能やバッテリの残量を指示する２種類の第３副表示部１１、１２と、を備えている。
【００１４】
主表示部８は、図１および図２に示すように、現在時刻を指示するものであり、例えば、文字板６の中心部に設けられ、上方を運針する秒針、分針、時針などの指針１３と、文字板６の中心部にその上方に突出して設けられて指針１３が取り付けられる指針軸１４と、を備えている。これにより、主表示部８は、指針軸１４の回転に伴って指針１３が文字板６の上方を運針して、見切り部材７の時字７ａを指示することにより、現在時刻を指示するように構成されている。
【００１５】
第１副表示部９は、図１および図２に示すように、世界の各都市のうちの何れかの都市の時刻を指示するものである。この第１副表示部９は、文字板６の中心部と文字板６の６時側の外周との間に設けられたほぼ円形状の第１表示領域９ａと、この第１表示領域９ａ内の上方で運針する第１副針９ｂと、を備えている。これにより、第１副表示部９は、第１副針９ｂが第１表示領域９ａ内の上方で運針することにより、選択された都市の時刻を指示するように構成されている。
【００１６】
第２副表示部１０は、図１および図２に示すように、曜日を指示するものであり、文字板６の中心部と文字板６の１２時側の外周との間に設けられたほぼ円形状の第２表示領域１０ａと、この第２表示領域１０ａ内の上方で運針する第２副針１０ｂと、を備えている。これにより、第２副表示部１０は、第２副針１０ｂが第２表示領域１０ａ内の上方で運針することにより、曜日を選択的に指示するように構成されている。
【００１７】
２種類の第３副表示部１１、１２のうち、１つの第３副表示部１１は、図１および図２に示すように、ストップウオッチの時間を指示するものであり、文字板６の中心部と文字板６の９時側の外周との間に設けられたほぼ扇形状の第３表示領域１１ａと、この第３表示領域１１ａ内の上方で運針する第３副針１５と、を備えている。これにより、第３副表示部１１は、第３副針１５が１／２０秒ごとに第３表示領域１１ａ内の上方で往復運針するレトログラードにより、ストップウオッチの時間を指示するように構成されている。
【００１８】
また、２種類の第３副表示部１１、１２のうち、他の第３副表示部１２は、図６に示すように、バッテリの残量を指示するものであり、文字板６の中心部と文字板６の９時側の外周との間に設けられたほぼ円形状の第３表示領域１２ａと、この第３表示領域１２ａ内の上方で運針する第３副針１５と、を備えている。これにより、他の第３副表示部１２は、第３副針１５が第３表示領域１２ａ内の上方で運針することにより、バッテリの残量を指示するように構成されている。
【００１９】
この場合、２種類の第３副表示部１１、１２は、図３、図４および図７に示すように、ステップモータ１６と輪列部１７とを備え、これらが第１支持部材１８と第２支持部材１９との間に取り付けられている。ステップモータ１６は、コイル部２０と、このコイル部２０で間欠的に発生した磁界を導くステータ２１と、このステータ２１の中心部に設けられたステータ孔２１ａに配置されて、コイル部２０で間欠的に発生した磁界に応じて間欠的に回転するロータ２２と、を備えている。
【００２０】
輪列部１７は、図３および図４に示すように、ステップモータ１６のロータ２２の回転に伴って回転する第１中間車２３と、この第１中間車２３の回転に伴って回転する第２中間車２４と、この第２中間車２４の回転に伴って回転する副針車２５と、を備え、この副針車２５の副針軸２５ａに第３副針１５が取り付けられるように構成されている。
【００２１】
すなわち、第１中間車２３は、図３および図４に示すように、ステップモータ１６のロータ２２のロータカナ２２ａに噛み合って回転する。第２中間車２４は、第１中間車２３の第１カナ２３ａに噛み合って回転する。副針車２５は、第２中間車２４の第２カナ２４ａに噛み合って回転する。
【００２２】
第１、第２支持部材１８、１９は、図２〜図５に示すように、文字板６の中心部と文字板６の９時側の外周部との間に位置する２種類の第３副表示部１１、１２の第３副表示領域１１ａ、１２ａに対応して設けられている。第１支持部材１８には、ロータ２２のロータ軸の上部を支持する軸取付孔２６と、第１中間車２３の第１軸の上部を支持する軸取付孔２７と、第２中間車２４の第２軸の上部を支持する軸取付孔２８と、副針車２５の副針軸２５ａを支持する２種類の第１、第２軸取付孔２９ａ、２９ｂと、が設けられている。
【００２３】
この場合、２種類の第１、第２軸取付孔２９ａ、２９ｂは、図３〜図７に示すように、副針車２５の副針軸２５ａが選択的に挿入して第１支持部材１８の上方に突出する孔であり、副針車２５の副針軸２５ａが第１、第２軸取付孔２９ａ、２９ｂのいずれか一方に選択的に取り付けられるように、第１支持部材１８に設けられている。すなわち、これら第１、第２軸取付孔２９ａ、２９ｂは、図５に示すように、副針車２５に噛み合う第２中間車２４の回転中心を中心とする円周上に設けられている。
【００２４】
これにより、副針車２５は、図４に示すように、副針軸２５ａが第１軸取付孔２９ａに挿入された際に、図２に示すように、２種類の第３副表示部１１、１２のうち、１つの第３副表示部１１の第３表示領域１１ａのほぼ扇形状の要になる箇所、つまり主表示部８の指針軸１４に近い位置に副針軸２５ａが配置され、この副針軸２５ａに第３副針１５が取り付けられ、この第３副針１５を第３表示領域１１ａ内の上方で往復運針させるように構成されている。
【００２５】
また、この副針車２５は、図７に示すように、副針軸２５ａが第１軸取付孔２９ｂに挿入された際に、図６に示すように、２種類の第３副表示部１１、１２のうち、他の１つの第３副表示部１２の第３表示領域１２ａのほぼ円形状の中心部、つまり主表示部８の指針軸１４から離れた位置に副針軸２５ａが配置され、この副針軸２５ａに第３副針１５が取り付けられ、この第３副針１５を第３表示領域１２ａ内の上方で運針させるように構成されている。
【００２６】
一方、第２支持部材１９は、図３に示すように、第１支持部材１８と同様、ロータ２２のロータ軸の下部を支持する軸取付孔３０と、第１中間車２３の第１軸の下部を支持する軸取付孔３１と、第２中間車２４の第２軸の下部を支持する軸取付孔３２と、副針車２５の副針軸２５ａの下部を支持する２種類の第１、第２軸取付孔３３ａ、３３ｂと、が設けられている。
【００２７】
この場合にも、２種類の第１、第２軸取付孔３３ａ、３３ｂは、図３〜図７に示すように、副針車２５の副針軸２５ａが選択的に挿入する孔であり、副針車２５の副針軸２５ａが第１、第２軸取付孔３３ａ、３３ｂのいずれか一方に選択的に取り付けられるように、第２支持部材１９に設けられている。これら第１、第２軸取付孔３３ａ、３３ｂは、第１支持部材１８の第１、第２軸取付孔２９ａ、２９ｂと同様、副針車２５に噛み合う第２中間車２４の回転中心を中心とする円周上に設けられている。
【００２８】
次に、このような腕時計の作用について説明する。
この腕時計では、２種類の第３副表示部１１、１２のいずれか一方を選択することができる。例えば、１つの第３副表示部１１を選択する場合には、まず、第１支持部材１８を表裏反転させた状態で、図３に示すように、第１支持部材１８にステップモータ１６と輪列部１７とを配置する。
【００２９】
このときには、ステップモータ１６のロータ２２のロータ軸の上部を第１支持部材１８の軸取付孔２６に挿入させて支持する。また、輪列部１７の第１中間車２３の第１軸の上部を第１支持部材１８の軸取付孔２７に挿入させてロータ２２のロータカナ２２ａに噛み合わせる。また、輪列部１７の第２中間車２４の第２軸の上部を第１支持部材１８の軸取付孔２８に挿入させて第１中間車２３の第１カナ２３ａに噛み合わせる。
【００３０】
この状態で、第１支持部材１８に副針車２５を配置する。このときには、副針車２５の副針軸２５ａを第１支持部材１８の２種類の第１、第２軸取付孔２９ａ、２９ｂのうち、文字板６の中心部に近い第１軸取付孔２９ａに挿入させて第２中間車２４の第２カナ２４ａに噛み合わせる。これにより、副針車２５は、副針軸２５ａが第１支持部材１８の上方に突出した状態で、第１支持部材１８に配置される。
【００３１】
この後、第２支持部材１９を第１支持部材１８に対応させて配置する。このときには、ステップモータ１６のロータ２２のロータ軸の下部を第２支持部材１９の軸取付孔３０に挿入させて支持する。また、第１中間車２３の第１軸の下部を第２支持部材１９の軸取付孔３１に挿入させて支持する。また、第２中間車２４の第２軸の下部を第２支持部材１９の軸取付孔３２に挿入させて支持する。
【００３２】
さらに、副針車２５の副針軸２５ａの下部を第２支持部材１９の２種類の第１、第２軸取付孔３３ａ、３３ｂのうち、第１支持部材１８の第１軸取付孔２９ａに対応する第１軸取付孔３３ａに挿入させて支持する。これにより、第１支持部材１８と第２支持部材１９との間にステップモータ１６と輪列部１７とが組み付けられる。
【００３３】
このときには、副針車２５の副針軸２５ａが第３副表示部１１の第３表示領域１１ａにおけるほぼ扇形状の要になる位置に配置される。この状態で、第１支持部材１８の上方に突出した副針車２５の副針軸２５ａに第３副針１５を取り付ける。これにより、第３副表示部１１は、図１および図２に示すように、ほぼ扇形状の第３副表示領域１１ａ内の上方で第３副針１５が運針する表示形態になる。
【００３４】
一方、２種類の第３副表示部１１、１２のうち、例えば、図６に示す他の１つの第３副表示部１２を選択する場合には、図７に示すように、上述した１つの第３副表示部１１の場合と同様、第１支持部材１８にステップモータ１６と第１中間車２３と第２中間車２４とを配置する。
【００３５】
そして、副針車２５の副針軸２５ａを第２支持部材１８の２種類の第１、第２軸取付孔２９ａ、２９ｂのうち、文字板６の中心部から遠い第２軸取付孔２９ｂに挿入させて第２中間車２４の第２カナ２４ａに噛み合わせる。これにより、副針車２５は、副針軸２５ａが第１支持部材１８の上方に突出した状態で、第１支持部材１８に配置される。
【００３６】
この状態で、第２支持部材１９を第１支持部材１８に対応させて配置させて、ステップモータ１６のロータ２２、第１中間車２３、第２中間車２４を支持する。このときには、副針車２５の副針軸２５ａの下部を第２支持部材１９の２種類の第１、第２軸取付孔３３ａ、３３ｂのうち、第１支持部材１８の第２軸取付孔２９ｂに対応する第２軸取付孔３３ｂに挿入させて支持する。
【００３７】
これにより、第１支持部材１８と第２支持部材１９との間にステップモータ１６と輪列部１７とが組み付けられる。このときには、副針車２５の副針軸２５ａが他の第３副表示部１２の第３表示領域１２ａにおけるほぼ円形状の中心部に配置される。この状態で、第１支持部材１８の上方に突出した副針車２５の副針軸２５ａに第３副針１５を取り付ける。これにより、第３副表示部１２が、図６に示すように、ほぼ円形状の第３副表示領域１２ａ内の上方で第３副針１５が運針する表示形態になる。
【００３８】
次に、このような腕時計を使用する場合について説明する。
通常状態のときには、主表示部８の指針軸１４が回転して、秒針、分針、時針などの指針１３を文字板６の上方で運針させ、この指針１３が文字板６の外周に配置された見切り部材７の時字２２ａを指示することにより、現在時刻を知ることができる。
【００３９】
また、このときには、第１副表示部９の第１副針９ｂが第１表示領域９ａ内の上方で運針して、第１表示領域９ａの時字（図示せず）を指示することにより、世界の各都市のうちの何れかの都市の時刻を知ることができる。同様に、第２副表示部１０は、第２副針１０ｂが第２表示領域１０ａ内の上方で運針して、第２表示領域１０ａの何れかの曜日を指示することにより、曜日を知ることができる。
【００４０】
また、このときに、２種類の第３副表示部１１、１２のうち、例えば１つの第３副表示部１１が選択されている場合には、この第３副表示部１１の第３副針１５がほぼ扇形状の第３表示領域１１ａ内の上方で１／２０秒ごとに往復運針するレトログラードによって、第３表示領域１１ａの目盛を指示することにより、ストップウオッチの時間を知ることができる。
【００４１】
一方、２種類の第３副表示部１１、１２のうち、例えば他の１つの第３副表示部１２が選択されている場合には、この第３副表示部１２の第３副針１５がほぼ円形状の第３表示領域１２ａ内の上方で運針して、第３表示領域１２ａの目盛を指示することにより、バッテリの残量を知ることができる。
【００４２】
このように、この腕時計によれば、中心部と９時側の外周部との間に２種類の第３副表示領域１１ａ、もしくは１２ａが設けられた文字板６と、第３副表示領域１１ａ、１２ａの上方で運針する第３副針１３が取り付けられる副針車２５を備えた輪列部１７と、第３副表示領域１１ａ、１２ａに対応する箇所に輪列部１７を支持する第１、第２支持部材１８、１９と、これら第１、第２支持部材１８、１９に設けられた複数箇所のいずれかに副針車２５が選択的に取り付けられる第１、第２軸取付孔２９ａ、２９ｂ、３３ａ、３３ｂと、を備えていることにより、第１、第２支持部材１８、１９を交換する必要がなく、第３副針１５の設置位置を簡単に変更することができる。
【００４３】
すなわち、この腕時計では、第１支持部材１８の複数箇所に設けられた第１、第２軸取付孔２９ａ、２９ｂと、第２支持部材１９の複数箇所に設けられた第１、第２軸取付孔３３ａ、３３ｂとにおける互いに対応するいずれかに、輪列部１７の副針車２５を選択的に取り付けることができるので、第１、第２支持部材１８、１９を交換する必要がなく、副針車２５の副針軸２５ａの設置位置を変更することができ、これにより第３副針１５の設置位置を簡単に変更することができる。
【００４４】
この場合、この腕時計では、輪列部１７がステップモータ１６の回転を副針車２５に伝達する第１、第２中間車２３、２４を備えており、第１、第２軸取付孔２９ａ、２９ｂ、３３ａ、３３ｂが副針車２５に噛み合う第２中間車２４の回転中心を中心とする円周上に設けられていることにより、第１軸取付孔２９ａ、３３ａと第２軸取付孔２９ｂ、３３ｂとのいずれかに副針車２５の副針軸２５ａを取り付けても、副針車２５を第２中間車２４によって確実にかつ良好に回転させることができる。
【００４５】
また、この腕時計では、２種類の第３副表示部１１、１２が異なる文字板６に設けられ、各第３副表示部１１、１２それぞれが異なる２つの第３副表示領域１１ａ、１２ａを備え、これら２つの第３副表示領域１１ａ、１２ａのうち、１つの第３副表示領域１１ａ内で第３副針１５を運針させることにより、例えばストップウオッチ時間を知ることができ、また他の１つの第３副表示領域１２ａ内で第３副針１５を運針させることにより、例えばバッテリの残量を知ることができる。
【００４６】
この場合、２種類の第３副表示領域１１ａ、１２ａは、副針車２５が取り付けられる第１軸取付孔２９ａ、３３ａと、副針車２５が取り付けられる第２軸取付孔２９ｂ、３３ｂとで表示形態が異なることにより、異なる２種類の機能とこれら２種類の機能に応じた表示形状とを容易に選択することができる。
【００４７】
例えば、副針車２５を第１軸取付孔２９ａ、３３ａに取り付ける場合には、第３副表示領域１１ａをほぼ扇形状に形成して、このほぼ扇形状の要の箇所に副針車２５の副針軸２５ａを配置させて、第３副針１５をほぼ扇形状の第３副表示領域１１ａ内の上方で１／２０秒ごとに往復運針させるレトログラードで、ストップウオッチの時刻を指示することができる。
【００４８】
また、例えば、副針車２５を第２軸取付孔２９ｂ、３３ｂに取り付ける場合には、第３副表示領域１２ａをほぼ円形状に形成して、このほぼ円形状の中心部に副針車２５の副針軸２５ａを配置させて、第３副針１５をほぼ円形状の第３副表示領域１１ａ内の上方で運針させてバッテリの残量を指示させることができる。
【００４９】
（第２実施形態）
次に、図８および図９を参照して、この発明を腕時計に適用した第２実施形態について説明する。なお、図１〜図７に示された第１実施形態と同一部分には同一符号を付して説明する。
この腕時計は、図８および図９に示すように、第３副針１５を異なる３個所の設置位置に変更できる構造になっており、これ以外は第１実施形態と同じ構造になっている。
【００５０】
すなわち、第３副表示部４０に対応する第１支持部材４１は、図９に示すように、第１実施形態と同様、ステップモータ１６および輪列部１７が配置されるように構成されている。この場合にも、輪列部１７は、ステップモータ１６のロータ２２の回転に伴って回転する第１中間車２３と、この第１中間車２３の回転に伴って回転する第２中間車２４と、この第２中間車２４の回転に伴って回転する副針車２５と、を備え、この副針車２５の副針軸２５ａに第３副針１５が取り付けられるように構成されている。
【００５１】
この場合、第１支持部材４１には、図９に示すように、３種類の第１〜第３軸取付孔４２ａ〜４２ｃが設けられている。これにより、副針車２５は、副針軸２５ａが第１〜第３の軸取付孔４２ａ〜４２ｃのいずれかに選択的に取り付けられるように構成されている。すなわち、これら第１〜第３軸取付孔４２ａ〜４２ｃは、副針車２５に噛み合う第２中間車２４の回転中心を中心とする円周（図９に点線で示された円周）上に設けられている。
【００５２】
また、ステップモータ１６および輪列部１７は、第１実施形態と同様、第１支持部材４１と第２支持部材（図示せず）との間に挟まれた状態で配置されるように構成されている。この場合、第２支持部材にも、第１支持部材４１に設けられた３種類の第１〜第３軸取付孔４２ａ〜４２ｃに対応して３種類の第１〜第３軸取付孔（図示せず）が設けられている。
【００５３】
これにより、第３副表示部４０は、図８に示すように、副針車２５の副針軸２５ａが第１〜第３の軸取付孔４２ａ〜４２ｃのいずれかに選択的に取り付けられることにより、副針軸２５ａの設置位置が３箇所に変更されるため、３種類の表示形態、つまり３種類の表示機能および３種類の表示形状が得られるように構成されている。
【００５４】
このような腕時計によれば、第１支持部材４１の複数箇所に設けられた第１〜第３軸取付孔４２ａ〜４２ｃと、第２支持部材（図示せず）の複数箇所に設けられた第１〜第３軸取付孔（図示せず）とにおける互いに対応するいずれかに、輪列部１７の副針車２５を選択的に取り付けることができるので、第１実施形態と同様、第１、第２支持部材４１を交換する必要がなく、副針車２５の副針軸２５ａの設置位置を３箇所に変更することができ、これにより第３副針１５の設置位置を簡単に変更することができる。
【００５５】
この場合、この腕時計では、輪列部１７がステップモータ１６の回転を副針車２５に伝達する第１、第２中間車２３、２４を備えており、第１〜第３軸取付孔４２ａ〜４２ｃが副針車２５に噛み合う第２中間車２４の回転中心を中心とする円周上に設けられていることにより、第１〜第３軸取付孔４２ａ〜４２ｃのいずれかに副針車２５の副針軸２５ａを取り付けても、副針車２５を第２中間車２４によって確実にかつ良好に回転させることができる。
【００５６】
また、この腕時計では、副針車２５の副針軸２５ａが第１〜第３の軸取付孔４２ａ〜４２ｃのいずれかに選択的に取り付けられることにより、副針軸２５ａの設置位置を３箇所に変更することができるため、副針軸２５ａの設置位置に応じて第３副表示部４０を３種類の表示形態、つまり３種類の表示機能および３種類の表示形状に簡単に変更することができる。
【００５７】
なお、上述した第１、第２実施形態では、副針車２５の設置位置が２箇所または３箇所に変更される場合について述べたが、この発明は、これに限らず、副針車２５に噛み合う第２中間車２４の回転中心を中心とする円周上に軸取付孔を４箇所以上設けることにより、副針車２５の設置位置を４箇所以上に変更できるようにして良い。
【００５８】
また、上述した第１、第２実施形態では、輪列部１７が第１中間車２３と第２中間車２４とを備えている場合について述べたが、この発明は、これに限らず、例えば１つの中間車のみを備えた構造でも良く、また３つ以上の中間車を備えた構造であっても良い。この場合にも、軸取付孔は副針車２５に噛み合う中間車の回転中心を中心とする円周上に複数設けられていれば良い。
【００５９】
また、上述した第１、第２実施形態では、第３副表示部１１、１２、４０の第３副針１５に適用した場合について述べたが、この発明は、これに限らず、例えば第１副表示部９の第１副針９ｂおよび第２副表示部１０の第２副針１０ｂにも適用することができる。
【００６０】
さらに、上述した第１、第２実施形態およびその各変形例では、指針式の腕時計に適用した場合について述べたが、必ずしも腕時計である必要はなく、例えばトラベルウオッチ、目覚まし時計、置き時計、掛け時計などの各種の指針式の時計に適用することができる。
【００６１】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００６２】
（付記）
請求項１に記載の発明は、中心部と外周の一部との間に表示領域が設けられた文字板と、前記表示領域の上方で運針する指針が取り付けられる指針車を備えた輪列部と、前記表示領域に対応する箇所に前記輪列部を支持する支持部材と、前記支持部材の複数箇所に設けられ、前記複数箇所のいずれかに前記指針車が選択的に取り付けられる複数の軸取付孔と、を備えていることを特徴とする輪列装置である。
【００６３】
請求項２に記載の発明は、請求項１に記載の輪列装置において、前記輪列部は、モータの回転を前記指針車に伝達する１つまたは複数の中間車を備えており、前記複数の軸取付孔は、前記指針車に噛み合う前記中間車の回転中心を中心とする円周上に設けられていることを特徴とする輪列装置である。
【００６４】
請求項３に記載の発明は、請求項１または請求項２に記載の輪列装置において、前記文字板の中心部には主表示領域が設けられ、前記表示領域は副表示領域であり、前記指針は前記副表示領域内で運針する副針であることを特徴とする輪列装置である。
【００６５】
請求項４に記載の発明は、請求項３に記載の輪列装置において、前記副表示領域は、前記指針車が取り付けられる前記複数の軸取付孔に応じて表示形態が異なることを特徴とする輪列装置である。
【００６６】
請求項５に記載の発明は、請求項１〜請求項４のいずれかに記載された輪列装置を備えていることを特徴とする時計である。
【符号の説明】
【００６７】
１  腕時計ケース
５  時計モジュール
６  文字板
７  見切り部材
８  主表示部
９  第１副表示部
１０  第２副表示部
１１、１２  第３副表示部
１１ａ、１２ａ  第３副表示領域
１５  第３副針
１６  ステップモータ
１７  輪列部
１８  第１支持部材
１９  第２支持部材
２３  第１中間車
２４  第２中間車
２５  副針車
２５ａ  副針軸
２９ａ、２９ｂ  第１、第２軸取付孔
３３ａ、３３ｂ  第１、第２軸取付孔
４０  第３副表示部
４１  第１支持部材
４２ａ〜４２ｃ  第１〜第３軸取付孔
【図１】
2019060738.tif 000003
【図２】
2019060738.tif 000004
【図３】
2019060738.tif 000005
【図４】
2019060738.tif 000006
【図５】
2019060738.tif 000007
【図６】
2019060738.tif 000008
【図７】
2019060738.tif 000009
【図８】
2019060738.tif 000010
【図９】
2019060738.tif 000011